(57)【要約】  本発明は、地域別の笑顔度を判定する技術に関し、IoT（internet of things）の分野などで利用される。サーバ装置２００は、カメラ１００により撮像された、人物を含む画像を取得する。サーバ装置２００は、取得された画像を画像解析して笑顔の人物を判定する。サーバ装置２００は、判定の結果に基づいて、地域別の笑顔度を計算して表示する。ここで、笑顔度とは、地域別に笑顔の人間の多さを比較し得る指標となるものであり、例えば、その地域の人口に対する、その地域内で１日あたりに判定された笑顔の人間の総数の割合である。
2019130437.tif 000002
【特許請求の範囲】
【請求項１】
人物の画像を取得する取得手段と、
前記画像を解析して、笑顔を判定する判定手段と、
前記判定の結果に基づいて、地域別の笑顔度を計算して表示する表示手段と
を備える地域別笑顔度表示システム。
【請求項２】
前記表示手段は、前記地域別の笑顔度を比較して表示する
請求項１に記載の地域別笑顔度表示システム。
【請求項３】
前記表示手段は、前記画像を撮像した撮像装置の位置に基づいて、地域別の笑顔度を計算して表示する
請求項１に記載の地域別笑顔度表示システム。
【請求項４】
前記表示手段は、同一人物の画像を撮像した撮像装置の位置に基づいて、当該人物の地域別の笑顔度を計算して表示する
請求項３に記載の地域別笑顔度表示システム。
【請求項５】
前記表示手段は、地域別に人物属性別の笑顔度を計算して表示する
請求項１に記載の地域別笑顔度表示システム。
【請求項６】
前記表示手段は、地域別に所定期間別の笑顔度を計算して表示する
請求項１に記載の地域別笑顔度表示システム。
【請求項７】
人物の画像を取得する取得ステップと、
前記画像を解析して、笑顔を判定する判定ステップと、
前記判定の結果に基づいて、地域別の笑顔度を計算して表示する表示ステップと
を備える地域別笑顔度表示方法。
【請求項８】
コンピュータに、  
人物の画像を取得する取得ステップと、
前記画像を解析して、笑顔を判定する判定ステップと、
前記判定の結果に基づいて、地域別の笑顔度を計算して表示する表示ステップと
を実行させるためのプログラム。
【発明の詳細な説明】
【技術分野】
【０００１】
本発明は、地域別に人物の笑顔を解析する技術に関し、IoT（internet of things）の分野などで利用される。
【背景技術】
【０００２】
近年、人間の笑顔の効果が注目を集めており、笑顔に関する各種技術が活用されている。例えば、画像を解析して笑顔度を算出することで人間の心理状態を推定する技術が提案されている（特許文献１参照）
【先行技術文献】
【特許文献】
【０００３】
【特許文献１】特開２０１６−９３３１３号公報
【発明の概要】
【発明が解決しようとする課題】
【０００４】
特許文献１に記載の技術は、ある１人の人間が笑顔であるかどうかを検出するに留まり、笑顔の地域的特性、具体的には笑顔の人間が多いかどうかを地域別に分析するものではない。そこで、本発明は、笑顔の人間が多いかどうかを地域別に分かるようにすることを目的とする。
【課題を解決する手段】
【０００５】
本発明は、人物の画像を取得する取得手段と、前記画像を解析して、笑顔を判定する判定手段と、前記判定の結果に基づいて、地域別の笑顔度を計算して表示する表示手段とを備える地域別笑顔度表示システムを提供する。
【０００６】
前記表示手段は、前記地域別の笑顔度を比較して表示するようにしてもよい。
【０００７】
前記表示手段は、前記画像を撮像した撮像装置の位置に基づいて、地域別の笑顔度を計算して表示するようにしてもよい。
【０００８】
前記表示手段は、同一人物の画像を撮像した撮像装置の位置に基づいて、当該人物の地域別の笑顔度を計算して表示するようにしてもよい。
【０００９】
前記表示手段は、地域別に人物属性別の笑顔度を計算して表示するようにしてもよい。
【００１０】
前記表示手段は、地域別に所定期間別の笑顔度を計算して表示するようにしてもよい。
【００１１】
また、本発明は、人物の画像を取得する取得ステップと、前記画像を解析して、笑顔を判定する判定ステップと、前記判定の結果に基づいて、地域別の笑顔度を計算して表示する表示ステップとを備える地域別笑顔度表示方法を提供する。
【００１２】
また、本発明は、コンピュータに、人物の画像を取得する取得ステップと、前記画像を解析して、笑顔を判定する判定ステップと、前記判定の結果に基づいて、地域別の笑顔度を計算して表示する表示ステップとを実行させるためのプログラムを提供する。
【発明の効果】
【００１３】
本発明によれば、笑顔の人間が多いかどうかが地域別に分かる。
【図面の簡単な説明】
【００１４】
【図１】地域別笑顔度表示システム１の概要を示す図。
【図２】ユーザ端末３００のハードウェアブロック図。
【図３】サーバ装置２００のハードウェアブロック図。
【図４】サーバ装置２００の機能ブロック図。
【図５】地域別笑顔度データベースの一例を示す図。
【図６】地域別笑顔度表示システム１の動作例を示す図。
【符号の説明】
【００１５】
１００−１〜１００−３・・・カメラ、２００・・・サーバ装置、２０１・・・ＣＰＵ、２０２・・・ＲＯＭ、２０３・・・ＲＡＭ、２０４・・・補助記憶装置、２０５・・・通信ＩＦ、２１・・・取得部、２２・・・判定部、２３・・・表示部、３００・・・ユーザ端末、３０１・・・ＣＰＵ、３０２・・・ＲＯＭ、３０３・・・ＲＡＭ、３０４・・・補助記憶装置、３０５・・・通信ＩＦ、３０６・・・表示部、３０７・・・操作部、９００・・・ネットワーク
【発明を実施するための形態】
【００１６】
［構成］
図１は地域別笑顔度表示システム１の概要を示すブロック図である。地域別笑顔度表示システム１は、カメラ１００と、サーバ装置２００と、ユーザ端末３００とを含む。カメラ１００、サーバ装置２００及びユーザ端末３００はネットワーク９００を介して通信可能に接続される。
【００１７】
カメラ１００は、撮像装置であり、カメラ１００−１、カメラ１００−２、カメラ１００−３を含む。各カメラ１００は、各々異なる位置に設けられた複数のネットワークカメラであって、撮像位置、撮像日時、及び撮像した画像を示す画像データをサーバ装置２００に送信する機能を有する。カメラ１００の設置位置は、例えば、駅、商業施設、道路、公共施設である。同図で示しているカメラ１００の台数は例示であり、複数であればよい。各カメラ１００は、その用途（防犯目的、定点観測目的、公共、商用）、機能、性能（画質、ズーム機能、パン機能、データ転送能力等）について、同一であってもよいし、異なっていてもよい。また、カメラ１００は固定されている必要はなく、移動可能な端末に搭載されたものでもよい。例えば、ユーザ端末２００がカメラ機能付きデバイスである場合、ユーザ端末２００にカメラ１００の機能を持たせてもよい。撮像や画像データの送信については、好ましくは一定時間間隔でまたは予め設定されたタイミングで実行される。あるいは、所定のイベント（例えばサーバ装置２００から要求があったことや、カメラ１００が備えるセンサが所定の情報を検出したこと）が発生した場合に、撮像および／または画像データの送信が実行されてもよい。
【００１８】
図２は、ユーザ端末３００のハードウェア構成を例示するブロック図である。ユーザ端末３００は、スマートフォン、タブレット又はカメラ型などの携帯型コンピュータのほか、例えばグラス型、ヘッドマウントディスプレイ型又はコンタクトレンズ型のウェアラブルコンピュータや、デスクトップ型又はノートブック型のパーソナルコンピュータであってもよい。ユーザ端末３００は、ＣＰＵ３０１（Central Processing Unit）、ＲＯＭ（Read Only Memory）３０３、ＲＡＭ（Random Access Memory）３０３、補助記憶装置３０４、通信ＩＦ３０５、表示部３０６及び操作部３０７を有する。
【００１９】
ＣＰＵ３０１は、各種の演算を行うプロセッサである。ＲＯＭ３０２は、例えばユーザ端末３０の起動に用いられるプログラム及びデータを記憶した不揮発性メモリである。ＲＡＭ３０３は、ＣＰＵ３０１がプログラムを実行する際のワークエリアとして機能する揮発性メモリである。補助記憶装置３０４は、例えばＨＤＤ（Hard Disk Drive）又はＳＳＤ（Solid State Drive）などの不揮発性の記憶装置であり、ユーザ端末３００において用いられるプログラム及びデータを記憶する。ＣＰＵ３０１がこのプログラムを実行することにより、後述する図４に示される機能が実現される。通信ＩＦ３０５は、所定の通信規格に従ってネットワーク９００を介した通信を行うためのインタフェースである。この通信規格は、無線通信の規格であってもよいし、有線通信の規格であってもよい。無線通信の場合、通信ＩＦ３０５は、例えばＬＴＥ（Long Term Evolution）又はＷｉ−Ｆｉ（登録商標）等の通信規格で動作するアンテナ及び通信回路を備えている。表示部３０６は、例えば液晶パネル及び液晶駆動回路などを含み、画像データに応じた画像を表示する。操作部３０７は、例えばキーやタッチセンサなどの操作子を含み、ユーザの操作を受け付けてその操作に応じた信号をＣＰＵ３０１に供給する。なお、ユーザ端末３００は、図２に例示した構成以外に、例えばＧＰＳ（Global Positioning System）ユニットや音声入出力部などの他の構成を含んでいてもよい。
【００２０】
図３は、地域別笑顔度算出装置としてのサーバ装置２００のハードウェア構成を例示するブロック図である。サーバ装置２００は、ＣＰＵ２０１、ＲＯＭ２０２、ＲＡＭ２０３、補助記憶装置２０４、及び通信ＩＦ２０５を有するコンピュータ装置である。ＣＰＵ２０１は、各種の演算を行うプロセッサである。ＲＯＭ２０２は、例えばサーバ装置２００の起動に用いられるプログラム及びデータを記憶した不揮発性メモリである。ＲＡＭ２０３は、ＣＰＵ２０１がプログラムを実行する際のワークエリアとして機能する揮発性メモリある。補助記憶装置２０４は、例えばＨＤＤ又はＳＳＤなどの不揮発性の記憶装置であり、サーバ装置２００において用いられるプログラム及びデータを記憶する。ＣＰＵ２０１がこのプログラムを実行することにより、後述する図４に示される機能が実現される。通信ＩＦ２０５は、所定の通信規格に従ってネットワーク９００を介した通信を行うためのインタフェースである。サーバ装置２００は、図３に例示した構成以外に、例えば表示部や操作部などの他の構成を含んでいてもよい。
【００２１】
図４は、地域別笑顔度表示システム１の機能構成を例示するブロック図である。地域別笑顔度表示システム１は、取得部２１と、判定部２２と、表示部２３とを含む。
【００２２】
取得部２１は、例えばサーバ装置２００の通信ＩＦ２０５により実現され、各カメラ１００により撮像された、人物を含む画像をネットワーク９００を介して取得する。
【００２３】
判定部２２は、例えばサーバ装置２００のＣＰＵ２０１により実現され、取得部２１により取得された画像を画像解析して笑顔の人物を判定する。
【００２４】
表示部２３は、例えばサーバ装置２００のＣＰＵ２０１、補助記憶装置２０４、通信ＩＦ２０５及びユーザ端末３００の表示部３０６により実現され、判定部２２による判定の結果に基づいて、地域別の笑顔度を計算して表示する。ここで、笑顔度とは、笑顔の人間の多さ又は少なさを地域別に比較し得る指標となるものであり、例えば、その地域の人口に対する、その地域内で１日あたりに判定された笑顔の人間の総数の割合である。このとき、表示部２３は、画像を撮像したカメラ１００の位置に基づいて、地域別の笑顔度を計算して表示する。また、表示部２３は、地域別の笑顔度を比較し得る状態で表示する。
【００２５】
図５は、表示部２３（具体的には表示部２３を構成する補助記憶装置２０４）が記憶する地域別笑顔度データベースの一例を示す図である。地域別笑顔度データベースにおいては、例えば市町村単位で区切られた各地域を識別するための地域ＩＤと、その地域の人口と、その地域において０時から２４時までにカウントされた笑顔の人物の総数（笑顔カウント値）と、その人の地域について算出された笑顔度とが対応付けられている。笑顔カウント値及び笑顔度は毎日０時になるとクリアされる。
【００２６】
［動作］
図６は、地域別笑顔度表示システム１の動作例を示す。各カメラ１００は、撮像した画像（ここでは定期的に撮像された静止画とする）を示す画像データを、決められたタイミングでサーバ装置２００に送信する。取得部２１は、これらの画像データを取得する（ステップＳ１）。この画像データには、各カメラ１００の撮像位置及び撮像日時が付加されている。
【００２７】
次に、判定部２２は、いずれか１のカメラ１００の画像データを画像解析し、その画像と、予め決められている、人間の顔の特徴点とを照合することで、その画像に含まれる人物の顔を認識する（ステップＳ２）。
【００２８】
次に、判定部２２は、画像データを画像解析して、画像中に含まれる人物が笑顔になったか否かを判定する（ステップＳ３）。この判定は、撮像された画像と、予め決められている、人間の顔が笑顔になったときの特徴点とを照合することで行われる。
【００２９】
ある人物が笑顔になったと判定されると、判定部２２は、その笑顔に関する笑顔情報を登録する（ステップＳ４）。つまり、判定部２２は、地域別笑顔度データベースにおいて、カメラ１００の撮像位置を含む地域の地域ＩＤを検索し、その地域ＩＤに対応する笑顔カウント値を１つインクリメントする。これにより、笑顔情報の登録がなされることになる。なお、判定部２２は、顔認識技術により同一人物を認識できる場合、笑顔になった人物が複数のカメラ１００によって同時に撮像されているときには、重複して撮像されている笑顔の数を除外して笑顔カウント値を求めてもよい。
【００３０】
このようなステップＳ３〜Ｓ４の処理が、各画像に含まれる全人物について行われ（ステップＳ５；ＹＥＳ）、各画像に含まれる全人物について処理がなされると（ステップＳ５；ＮＯ）、判定部２２は、地域別笑顔度データベースにおいて、各地域ＩＤに対応する笑顔度を算出して書き込む（ステップＳ６）。具体的には、判定部２２は、各地域ＩＤの地域において０時からカウントされている笑顔カウント値をその地域の人口で除算し、これを１００倍した値を算出し、これを笑顔度として書き込む。
【００３１】
地域別の笑顔度は、例えばユーザ端末３００からの要求に応じて、サーバ装置２００からユーザ端末３００に送信され、表示部３０６にて表示される（ステップＳ７）。このとき、表示部２３は、例えば地域ＩＤ又は地域の名称と笑顔度とを対応付けて表示させる。さらに、表示部２３は、笑顔度の高い順から地域及び笑顔度を並び替えて表示させたり、同一ページに複数の地域の笑顔度を並べて表示させたりするなど、地域別の笑顔度を比較し得るように表示させる。なお、この地域別の笑顔度は、例えば値（ここでは笑顔度）の大小を地図上において色の種類又は強弱で表現したヒートマップとして表示されてよいし、値（ここでは笑顔度）の大小を地図上においてバブルの大きさで表現したバブルチャートとして表示されてもよい。
【００３２】
サーバ装置２００が全てのカメラ１００によって撮像された画像について上記処理を行うことにより、地域別の笑顔度を知ることができる。
【００３３】
［変形例］
本発明は上述の実施形態に限定されるものではなく、種々の変形実施が可能である。以下、変形例をいくつか説明する。以下の変形例のうち２つ以上のものが組み合わせて用いられてもよい。
【００３４】
［変形例１］
判定部２２が顔認識技術やそのほかの技術により同一人物であることを認識できる場合、表示部２３は、同一人物の画像を撮像したカメラ１００の位置に基づいて、当該人物の地域別の笑顔度を計算して表示するようにしてもよい。具体的には、判定部２２は、地域別笑顔度データベースにおいて、同一人物が笑顔になった地域の地域ＩＤをその人物の人物ＩＤに対応づけて記憶する。さらに、判定部２２は、地域別笑顔度データベースにおいて、同一人物が笑顔になった回数である笑顔カウント値を地域ＩＤに対応づけて記憶する。表示部２３は、各々の人物の人物ＩＤに対応づけて、地域別の笑顔度を表示する。これにより、各々の人物がどの地域で笑顔になることが多いか又は少ないかを知ることができる。同一人物であることを認識する技術としては、顔認識技術のほか、例えば各人物が固有のＩＤを発信する発信装置を携帯しておき、そのＩＤをカメラ１００が受信してサーバ装置２００に画像データとともに転送することで、同一人物であることを認識する方法もあり得る。
【００３５】
［変形例２］
判定部２２が顔認識技術により人物の属性を特定することができる場合、表示部２３は、地域別に人物属性別の笑顔度を計算して表示するようにしてもよい。具体的には、判定部２２は、カメラ１００により撮像された画像に含まれる人物について、顔認識技術により人物の属性（性別、年齢等）を推定する。そして、判定部２２は、地域別笑顔度データベースにおいて、地域別且つ人物属性別に笑顔度を算出して記憶する。表示部２３は、地域別且つ人物属性別に笑顔度を表示する。これにより、どのような属性の人物がどの地域で笑顔になることが多いか又は少ないかを知ることができる。人物の属性を認識する技術としては、顔認識技術のほかにも以下のようなものがある。例えばサーバ装置２００の判定部２２が人物の属性を人物ＩＤに対応付けて記憶しておく。各人物は人物ＩＤを発信する発信装置を携帯しておき、その人物ＩＤをカメラ１００が受信してサーバ装置２００に画像データとともに転送する。サーバ装置（判定部２２）は受信した人物ＩＤに対応する属性を参照することで、画像に含まれる各人物の属性を認識する。
【００３６】
［変形例３］
表示部２３は、地域別に所定期間別の笑顔度を計算して表示するようにしてもよい。具体的には、判定部２２は、カメラ１００から送信されてくる画像データに付加されている撮像日時に基づいて、地域別笑顔度データベースにおいて、地域別且つ所定期間別（例えば１時間単位、１日単位、１週間単位、１ヶ月単位等）に笑顔度を算出して記憶する。表示部２３は、地域別且つ所定期間別に笑顔度を表示する。これにより、各地域においてどの期間に笑顔になることが多いか又は少ないかを知ることができる。
【００３７】
［変形例４］
実施形態において、判定部２２は、笑顔度を、地域の人口をその地域において０時から２４時までにカウントされた笑顔の人物の総数（笑顔カウント値）で除算することで算出していたが、笑顔の算出方法はこの例に限定されない。例えば、判定部２２は、画像に含まれている人物の総数を、その画像に含まれている笑顔の人物の総数で除算する計算を経て笑顔度を算出してもよいし、画像に含まれている笑顔の人物の総数そのものを笑顔度としてもよい。また、笑顔カウント値の累積期間は１日に限らず、任意の期間を用いることができる。要するに、笑顔度は、笑顔の人間の多さ又は少なさを地域別に比較し得る指標となるものであればよい。
【００３８】
［変形例５］
サーバ装置２００がカメラ１００から画像を取得するタイミングやサーバ装置２００にて画像解析を実行するタイミングは、任意である。例えば、各カメラ１００は自発的に画像データをサーバ装置２００に送信することはせず、サーバ装置２００はユーザ端末３００からの要求に応じてカメラ１００に画像データを要求してもよい。あるいは、サーバ装置２００はユーザ端末３００からの要求のタイミングとは関係なく、予め定められたスケジュールに従って画像解析を実行してもよい。撮像された画像の取得、画像の解析、笑顔判定及び伝染判定は、複数のノードで行ってもよいし、一つのノードにて実行されてもよい。例えば、ユーザ端末３００がサーバ装置２００の機能を有してもよい。
【００３９】
本発明は、サーバ装置２００又は地域別笑顔度表示システム１において行われる処理のステップを備える情報処理方法として提供されてもよい。つまり、本発明は、人物の画像を取得する取得ステップと、前記画像を解析して、笑顔を判定する判定ステップと、前記判定の結果に基づいて、地域別の笑顔度を計算して表示する表示ステップとを備える地域別笑顔度表示方法を提供する。また、本発明は、サーバ装置２００又はユーザ端末３２０において実行されるプログラムとして提供されてもよい。かかるプログラムは、光ディスク等の記録媒体に記録した形態で提供されたり、インターネット等のネットワークを介して、コンピュータにダウンロードさせ、これをインストールして利用可能にするなどの形態で提供されたりすることが可能である。なお、本明細書で説明した処理手順は、矛盾の無い限り、順序を入れ替えてもよい。例えば、本明細書で説明した方法については、例示的な順序で様々なステップの要素を提示しており、提示した取得の順序に限定されない。
【図１】
2019130437.tif 000003
【図２】
2019130437.tif 000004
【図３】
2019130437.tif 000005
【図４】
2019130437.tif 000006
【図５】
2019130437.tif 000007
【図６】
2019130437.tif 000008
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
複数の撮像装置にて撮影された、人物の画像を取得する取得手段と、
前記画像を解析して、各人物が笑顔になったことを判定する判定手段と、
一以上の人物が前記複数の撮像装置にて撮影された場合に、前記判定の結果および前記画像を撮像した各撮像装置の位置に基づいて、地域別の笑顔度を人物ごとに算出して表示する表示手段と
を備える地域別笑顔度表示システム。
【請求項２】
前記表示手段は、さらに所定期間別の笑顔度を計算して表示する
請求項１に記載の地域別笑顔度表示システム。
【請求項３】
各人物に固有のＩＤを記憶する記憶手段を更に備え、
各撮像装置は、各人物が携帯する発信装置から送信された、各人物に固有のＩＤを受信する受信手段を備え、
各撮像装置は、該受信したＩＤとともに該撮影された画像を前記判定手段に送信し、
前記表示手段は、前記ＩＤを照合することにより、同一人物であるか否かを判定する
請求項１または２に記載の地域別笑顔度表示システム。
【請求項４】
複数の撮像装置にて撮影された、人物の画像を取得するステップと、前記画像を解析して、各人物が笑顔になったことを判定するステップと、
一以上の人物が前記複数の撮像装置にて撮影された場合に、前記判定の結果および前記画像を撮像した各撮像装置の位置に基づいて、地域別の笑顔度を人物ごとに算出して表示するステップと
を有する、地域別笑顔度表示方法。
【請求項５】
コンピュータに、
複数の撮像装置にて撮影された、人物の画像を取得するステップと、
前記画像を解析して、各人物が笑顔になったことを判定するステップと、
一以上の人物が前記複数の撮像装置にて撮影された場合に、前記判定の結果および前記画像を撮像した各撮像装置の位置に基づいて、地域別の笑顔度を人物ごとに算出して表示するステップと
を実行させるためのプログラム。
【手続補正書】
【提出日】令和2年4月10日(2020.4.10)
【手続補正１】
【補正対象書類名】特許請求の範囲
【補正対象項目名】全文
【補正方法】変更
【補正の内容】
【特許請求の範囲】
【請求項１】
異なる位置に設けられた複数の撮像装置にて撮影された、人物の画像を取得する取得手段と、
前記画像を解析して、各人物が笑顔になったことを判定する判定手段と、
前記判定の結果および前記画像を撮像した各撮像装置の位置に基づいて、地域別の笑顔度を算出して表示する表示する表示手段と、
を備える地域別笑顔度表示システム。
【請求項２】
前記表示手段は、所定期間別の笑顔度を計算して表示する
請求項１に記載の地域別笑顔度表示システム。
【請求項３】
各人物に固有のＩＤを記憶する記憶手段を備え、
各撮像装置は、各人物が携帯する発信装置から送信された、各人物に固有のＩＤを受信する受信手段を備え、
各撮像装置は、該受信したＩＤとともに該撮像された画像を前記判定手段に送信し、
前記表示手段は、前記ＩＤを照合することにより、同一人物であるか否かを判定する
請求項１または請求項２に記載の地域別笑顔度表示システム。
【請求項４】
異なる位置に設けられた複数の撮像装置にて撮影された、人物の画像を取得するステップと、
前記画像を解析して、各人物が笑顔になったことを判定するステップと、
前記判定の結果および前記画像を撮像した各撮像装置の位置に基づいて、地域別の笑顔度を算出して表示する表示するステップと、
を有する地域別笑顔度表示方法。
【請求項５】
コンピュータに、
異なる位置に設けられた複数の撮像装置にて撮影された、人物の画像を取得するステップと、
前記画像を解析して、各人物が笑顔になったことを判定するステップと、
前記判定の結果および前記画像を撮像した各撮像装置の位置に基づいて、地域別の笑顔度を人物ごとに算出して表示する表示するステップと、
を実行させるプログラム。
【手続補正２】
【補正対象書類名】明細書
【補正対象項目名】０００５
【補正方法】変更
【補正の内容】
【０００５】
本発明は、異なる位置に設けられた複数の撮像装置にて撮影された、人物の画像を取得する取得手段と、前記画像を解析して、各人物が笑顔になったことを判定する判定手段と、前記判定の結果および前記画像を撮像した各撮像装置の位置に基づいて、地域別の笑顔度を算出して表示する表示する表示手段と、を備える地域別笑顔度表示システムを提供する。
本発明は、異なる位置に設けられた複数の撮像装置にて撮影された、人物の画像を取得するステップと、前記画像を解析して、各人物が笑顔になったことを判定するステップと、前記判定の結果および前記画像を撮像した各撮像装置の位置に基づいて、地域別の笑顔度を算出して表示する表示するステップと、を有する地域別笑顔度表示方法を提供する。
本発明は、コンピュータに、異なる位置に設けられた複数の撮像装置にて撮影された、人物の画像を取得するステップと、前記画像を解析して、各人物が笑顔になったことを判定するステップと、前記判定の結果および前記画像を撮像した各撮像装置の位置に基づいて、地域別の笑顔度を人物ごとに算出して表示する表示するステップと、を実行させるプログラムを提供する。
本発明は、人物の画像を取得する取得手段と、前記画像を解析して、笑顔を判定する判定手段と、前記判定の結果に基づいて、地域別の笑顔度を計算して表示する表示手段とを備える地域別笑顔度表示システムを提供する。
【国際調査報告】
2019130437.tif 000009
2019130437.tif 000010
2019130437.tif 000011
2019130437.tif 000012